(57)【要約】【課題】着用者の下腹部にフィットする吸収性物品を提供すること。【解決手段】吸収性物品（１）の前端部であり短手方向の一方側に谷部（５１）が設けられ、吸収体（１０）の前方領域のうち短手方向の一方側にスリット（４１）が設けられ、スリット（４１）は他方側縁（４１１）と一方側縁（４１２）とを有し、他方側縁（４１１）に沿った接線よりも一方側に谷部（５１）の最も深い箇所が位置し、一方側縁（４１２）と他方側縁（４１１）はこれらに沿う吸収体（１０）の厚さよりも幅が広い幅広部（４１５）を有し、幅広部（４１５）の長さが吸収体１０の厚さよりも長いこと。【選択図】図４
2018000466.tif 000002
【特許請求の範囲】
【請求項１】
互いに直交する長手方向、短手方向、及び厚さ方向を有し、吸収体を備える吸収性物品であって、
前記吸収性物品の外形輪郭部のうち、前記長手方向の前端部であり且つ前記短手方向の一方側である部位に、谷部が設けられ、
前記吸収体の前記長手方向の前方領域のうち、前記短手方向の一方側である部位に、内方に切り込まれたスリットが設けられ、
前記スリットは、他方側縁と、前記他方側縁よりも前記一方側に位置する一方側縁とを有し、
前記他方側縁に沿った接線よりも前記一方側に、前記谷部の最も深い箇所が位置し、
前記一方側縁と、前記他方側縁は、これらに沿う前記吸収体の部位の厚さよりも幅が広い幅広部を有し、
前記スリットの幅方向の中央線に沿う方向における前記幅広部の長さが、前記吸収体の前記部位の厚さよりも長いこと、
を特徴とする吸収性物品。
【請求項２】
請求項１に記載の吸収性物品であって、
前記一方側縁に沿う前記吸収体の部位に対する前記短手方向に沿った第２の接線と、前記接線との間に、前記谷部の最も深い箇所が位置することを特徴とする吸収性物品。
【請求項３】
請求項１又は請求項２に記載の吸収性物品であって、
前記吸収体の前記長手方向の前端から個別包装用の前記短手方向に沿った折り線までの領域を、前記長手方向に４等分する前記短手方向に沿った仮想線を３本有し、
前記谷部の最も深い箇所を通り且つ前記一方側縁に沿う前記吸収体の部位に対する第３の接線と、前記他方側縁と、の交点は、前記長手方向の前側から１番目の前記仮想線上と３番目の仮想線上の間に位置すること、
を特徴とする吸収性物品。
【請求項４】
請求項１から請求項３の何れか１項に記載の吸収性物品であって、
前記吸収性物品の外形輪郭部のうち、前記長手方向の前端部であり且つ前記短手方向の他方側である部位に、第２の谷部が設けられ、
前記吸収体の前記長手方向の前方領域のうち、前記短手方向の前記他方側である部位に、第２のスリットが設けられ、
前記第２のスリットは、第２の他方側縁と、第２の一方側縁とを有し、
前記第２の一方側縁に沿った第４の接線よりも前記他方側に、前記第２の谷部の最も深い箇所が位置すること、
を特徴とする吸収性物品。
【請求項５】
請求項４に記載の吸収性物品であって、
前記スリット及び前記第２のスリットは、前記長手方向の中央側から前側に向かって前記短手方向の外側に傾斜していることを特徴とする吸収性物品。
【請求項６】
請求項１から請求項５の何れか１項に記載の吸収性物品であって、
前記吸収性物品の前記長手方向の前記前方領域における外形輪郭は、前記長手方向の中央側から前側に向かって前記短手方向の外側に傾斜していることを特徴とする吸収性物品。
【請求項７】
請求項１から請求項６の何れか１項に記載の吸収性物品であって、
前記吸収体の前記長手方向の前記前方領域と中央領域の境界部であり、前記短手方向の両側部に、一対の低剛性部が設けられるとともに、各前記低剛性部の前記長手方向の両側に前記低剛性部よりも剛性の高い第１の高剛性部が設けられ、
前記短手方向における前記一対の低剛性部間に、前記低剛性部よりも剛性の高い第２の高剛性部が設けられていることを特徴とする吸収性物品。
【請求項８】
請求項１から請求項７の何れか１項に記載の吸収性物品であって、
前記吸収体の前記長手方向の前記前方領域と中央領域の境界部であり、前記短手方向の中央部に、第２の低剛性部が設けられるとともに、前記第２の低剛性部の前記短手方向の両側に前記第２の低剛性部よりも剛性の高い第３の高剛性部が設けられ、
前記第２の低剛性部の形状は、前記短手方向に長く、前記長手方向の前側に凸となる形状であることを特徴とする吸収性物品。
【請求項９】
請求項１から請求項８の何れか１項に記載の吸収性物品であって、
前記吸収性物品には、少なくとも前記吸収体が前記厚さ方向に凹んだ部位であり、隣接する部位に比べて前記吸収体が有する液体吸収性繊維の密度が高い凹部が設けられ、
前記厚さ方向の平面視で、前記凹部と前記スリットとが重なっていないことを特徴とする吸収性物品。
【請求項１０】
請求項１から請求項９の何れか１項に記載の吸収性物品であって、
前記吸収性物品の前記厚さ方向の非肌側面には粘着部が設けられ、
前記厚さ方向の平面視で、前記一方側縁に沿う前記吸収体の部位と前記粘着部とが重なり、且つ、前記他方側縁に沿う前記吸収体の部位と前記粘着部とが重なっていることを特徴とする吸収性物品。
【請求項１１】
互いに直交する長手方向、短手方向、及び厚さ方向を有し、吸収体を備える吸収性物品であって、
前記吸収性物品の外形輪郭部のうち、前記長手方向の前端部であり且つ前記短手方向の一方側である部位に、谷部が設けられ、
前記吸収体の前記長手方向の前方領域のうち、前記短手方向の一方側である部位に、内方に切り込まれたスリットが設けられ、
前記スリットは、他方側縁と、前記他方側縁よりも前記一方側に位置する一方側縁とを有し、
着用時に、前記スリットの入口部分において前記他方側縁と前記一方側縁とが当接し、その当接点と前記谷部の最も深い箇所とを繋ぐ折り線が前記外形輪郭部に形成されること、
を特徴とする吸収性物品。
【発明の詳細な説明】
【技術分野】
【０００１】
本発明は、吸収性物品に関する。
【背景技術】
【０００２】
吸収性物品の一例として生理用ナプキンが挙げられる。特許文献１には、恥骨前部と対向する前端吸収部が左側吸収部と右側吸収部とに分離され、その左側吸収部と右側吸収部とが互いに近づけられたり重ね合わされたりすることにより前端吸収部が立ち上がり、立体形状を構成する生理用ナプキンが記載されている。
【先行技術文献】
【特許文献】
【０００３】
【特許文献１】特開２０１２−２９８０７号公報
【発明の概要】
【発明が解決しようとする課題】
【０００４】
特許文献１に記載の生理用ナプキンでは、ナプキンの外形輪郭部を構成するバックシートに前端吸収部が固着されずに離間可能となっている。そのため、着用時に、ナプキンの外形輪郭部に作用した着用者の脚の挟み込みの力が、前端吸収部に適切に伝達されないおそれがある。そうすると、前端吸収部の左側吸収部と右側吸収部とが近付けられず、意図しない位置で前端吸収部が折れ曲がる等して、前端吸収部が着用者の下腹部（恥骨周辺）にフィットしなくなってしまう。
本発明は、上記のような問題に鑑みてなされたものであって、着用者の下腹部にフィットする吸収性物品を提供することを目的とする。
【課題を解決するための手段】
【０００５】
上記目的を達成するための主たる発明は、互いに直交する長手方向、短手方向、及び厚さ方向を有し、吸収体を備える吸収性物品であって、前記吸収性物品の外形輪郭部のうち、前記長手方向の前端部であり且つ前記短手方向の一方側である部位に、谷部が設けられ、前記吸収体の前記長手方向の前方領域のうち、前記短手方向の一方側である部位に、内方に切り込まれたスリットが設けられ、前記スリットは、他方側縁と、前記他方側縁よりも前記一方側に位置する一方側縁とを有し、前記他方側縁に沿った接線よりも前記一方側に、前記谷部の最も深い箇所が位置し、前記一方側縁と、前記他方側縁は、これらに沿う前記吸収体の部位の厚さよりも幅が広い幅広部を有し、前記スリットの幅方向の中央線に沿う方向における前記幅広部の長さが、前記吸収体の前記部位の厚さよりも長いこと、を特徴とする吸収性物品である。
本発明の他の特徴については、本明細書及び添付図面の記載により明らかにする。
【発明の効果】
【０００６】
本発明によれば、着用者の下腹部にフィットする吸収性物品を提供することができる。
【図面の簡単な説明】
【０００７】
【図１】生理用ナプキンを厚さ方向の肌側から見た平面図である。
【図２】ナプキンを厚さ方向の非肌側から見た平面図である。
【図３】ナプキンの長手方向中央部の概略断面図である。
【図４】ナプキンの外形輪郭と前側スリットの関係を説明する図である。
【図５】ナプキンの外形輪郭と前側スリット４０の関係を説明する図である。
【図６】図６Ａ及び図６Ｂは着用時におけるナプキンの前方領域の変形を説明する図である。
【図７】図７Ａから図７Ｃは前側スリットの幅と吸収体の厚さの関係を説明する図である。
【図８】吸収体の前方領域を説明する図である。
【図９】前側スリットの変形例を説明する図である。
【図１０】前側スリットの変形例を説明する図である。
【発明を実施するための形態】
【０００８】
本明細書及び添付図面の記載により、少なくとも以下の事項が明らかとなる。
【０００９】
互いに直交する長手方向、短手方向、及び厚さ方向を有し、吸収体を備える吸収性物品であって、前記吸収性物品の外形輪郭部のうち、前記長手方向の前端部であり且つ前記短手方向の一方側である部位に、谷部が設けられ、前記吸収体の前記長手方向の前方領域のうち、前記短手方向の一方側である部位に、内方に切り込まれたスリットが設けられ、前記スリットは、他方側縁と、前記他方側縁よりも前記一方側に位置する一方側縁とを有し、前記他方側縁に沿った接線よりも前記一方側に、前記谷部の最も深い箇所が位置し、前記一方側縁と、前記他方側縁は、これらに沿う前記吸収体の部位の厚さよりも幅が広い幅広部を有し、前記スリットの幅方向の中央線に沿う方向における前記幅広部の長さが、前記吸収体の前記部位の厚さよりも長いこと、を特徴とする吸収性物品。
【００１０】
このような吸収性物品によれば、着用者の脚が閉じられた際に、前方領域において外形輪郭部及び吸収体のよれを抑制できる。また、着用者の脚が閉じられてスリット間隔が狭まることで、前方領域は着用者の下腹部（恥骨付近の膨らみ）を包み込むカップ形状に変形できる。したがって、前方領域は着用者の下腹部にフィットする。また、脚が閉じられた際に吸収体の逃げ場となり得るスリットの幅及び長さがしっかりと確保されているので、吸収体のよれをより確実に抑制できる。
【００１１】
かかる吸収性物品であって、前記一方側縁に沿う前記吸収体の部位に対する前記短手方向に沿った第２の接線と、前記接線との間に、前記谷部の最も深い箇所が位置することを特徴とする吸収性物品。
【００１２】
このような吸収性物品によれば、着用者の脚が閉じられた際に、前方領域において外形輪郭部及び吸収体のよれを抑制でき、また、前方領域は着用者の下腹部（恥骨付近の膨らみ）を包み込むカップ形状に変形できる。したがって、前方領域は着用者の下腹部にフィットする。
【００１３】
かかる吸収性物品であって、前記吸収体の前記長手方向の前端から個別包装用の前記短手方向に沿った折り線までの領域を、前記長手方向に４等分する前記短手方向に沿った仮想線を３本有し、前記谷部の最も深い箇所を通り且つ前記一方側縁に沿う前記吸収体の部位に対する第３の接線と、前記他方側縁と、の交点は、前記長手方向の前側から１番目の前記仮想線上と３番目の仮想線上の間に位置すること、を特徴とする吸収性物品。
【００１４】
このような吸収性物品によれば、着用者の脚が閉じられた際に、前方領域において外形輪郭部及び吸収体のよれを抑制でき、また、前方領域は着用者の下腹部（恥骨付近の膨らみ）を包み込むカップ形状に変形できる。したがって、前方領域は着用者の下腹部にフィットする。
【００１５】
かかる吸収性物品であって、前記吸収性物品の外形輪郭部のうち、前記長手方向の前端部であり且つ前記短手方向の他方側である部位に、第２の谷部が設けられ、前記吸収体の前記長手方向の前方領域のうち、前記短手方向の前記他方側である部位に、第２のスリットが設けられ、前記第２のスリットは、第２の他方側縁と、第２の一方側縁とを有し、前記第２の一方側縁に沿った第４の接線よりも前記他方側に、前記第２の谷部の最も深い箇所が位置すること、を特徴とする吸収性物品。
【００１６】
このような吸収性物品によれば、前方領域における外形輪郭部及び吸収体のよれを短手方向に均等に抑制できる。また、前方領域が短手方向に均等に湾曲し、着用者の下腹部（恥骨付近の膨らみ）を包み込むカップ形状に変形できる。したがって、前方領域は着用者の下腹部にフィットする。
【００１７】
かかる吸収性物品であって、前記スリット及び前記第２のスリットは、前記長手方向の中央側から前側に向かって前記短手方向の外側に傾斜していることを特徴とする吸収性物品。
【００１８】
このような吸収性物品によれば、前方領域が着用者の下腹部（恥骨付近の膨らみ）を包み込むカップ形状に変形でき、着用者の下腹部にフィットする。
【００１９】
かかる吸収性物品であって、前記吸収性物品の前記長手方向の前記前方領域における外形輪郭は、前記長手方向の中央側から前側に向かって前記短手方向の外側に傾斜していることを特徴とする吸収性物品。
【００２０】
このような吸収性物品によれば、短手方向の外側に膨らんだ外形輪郭部によって、着用者の下腹部（恥骨付近の膨らみ）を包み込むことができる。
【００２１】
かかる吸収性物品であって、前記吸収体の前記長手方向の前記前方領域と中央領域の境界部であり、前記短手方向の両側部に、一対の低剛性部が設けられるとともに、各前記低剛性部の前記長手方向の両側に前記低剛性部よりも剛性の高い第１の高剛性部が設けられ、前記短手方向における前記一対の低剛性部間に、前記低剛性部よりも剛性の高い第２の高剛性部が設けられていることを特徴とする吸収性物品。
【００２２】
このような吸収性物品によれば、前方領域が立ち上がり易い。また、第２の高剛性部によって吸収体の長手方向中央領域に作用した脚の挟み込み力が前方領域に伝達されるため、吸収体の前方領域において両側部が肌側に折れ易い。よって、前方領域が着用者の下腹部（恥骨付近の膨らみ）を包み込むカップ形状に変形でき、着用者の下腹部にフィットする。
【００２３】
かかる吸収性物品であって、前記吸収体の前記長手方向の前記前方領域と中央領域の境界部であり、前記短手方向の中央部に、第２の低剛性部が設けられるとともに、前記第２の低剛性部の前記短手方向の両側に前記第２の低剛性部よりも剛性の高い第３の高剛性部が設けられ、前記第２の低剛性部の形状は、前記短手方向に長く、前記長手方向の前側に凸となる形状であることを特徴とする吸収性物品。
【００２４】
このような吸収性物品によれば、前方領域が立ち上がった際に厚さ方向の非肌側に凸となり易い。また、第３の高剛性部によって吸収体の長手方向中央領域に作用した脚の挟み込み力が前方領域に伝達されるため、吸収体の前方領域において両側部が肌側に折れ易い。よって、前方領域が着用者の下腹部（恥骨付近の膨らみ）を包み込むカップ形状に変形でき、着用者の下腹部にフィットする。
【００２５】
かかる吸収性物品であって、前記吸収性物品には、少なくとも前記吸収体が前記厚さ方向に凹んだ部位であり、隣接する部位に比べて前記吸収体が有する液体吸収性繊維の密度が高い凹部が設けられ、前記厚さ方向の平面視で、前記凹部と前記スリットとが重なっていないことを特徴とする吸収性物品。
【００２６】
このような吸収性物品によれば、スリット（吸収体）よりも上層のシートや下層のシートが伸び縮みし易く、スリットの間隔が狭まり易い。
【００２７】
かかる吸収性物品であって、前記吸収性物品の前記厚さ方向の非肌側面には粘着部が設けられ、前記厚さ方向の平面視で、前記一方側縁に沿う前記吸収体の部位と前記粘着部とが重なり、且つ、前記他方側縁に沿う前記吸収体の部位と前記粘着部とが重なっていることを特徴とする吸収性物品。
【００２８】
このような吸収性物品によれば、スリットで区画された吸収体の複数の領域が横並びする状態を維持できる。よって、前方領域が着用者の下腹部に沿った面形状に変形し、着用者の下腹部にフィットする。
【００２９】
また、互いに直交する長手方向、短手方向、及び厚さ方向を有し、吸収体を備える吸収性物品であって、前記吸収性物品の外形輪郭部のうち、前記長手方向の前端部であり且つ前記短手方向の一方側である部位に、谷部が設けられ、前記吸収体の前記長手方向の前方領域のうち、前記短手方向の一方側である部位に、内方に切り込まれたスリットが設けられ、前記スリットは、他方側縁と、前記他方側縁よりも前記一方側に位置する一方側縁とを有し、着用時に、前記スリットの入口部分において前記他方側縁と前記一方側縁とが当接し、その当接点と前記谷部の最も深い箇所とを繋ぐ折り線が前記外形輪郭部に形成されること、を特徴とする吸収性物品。
【００３０】
このような吸収性物品によれば、着用者の脚が閉じられた際に、前方領域において外形輪郭部及び吸収体のよれを抑制でき、また、前方領域は着用者の下腹部（恥骨付近の膨らみ）を包み込むカップ形状に変形できる。したがって、前方領域は着用者の下腹部にフィットする。
【００３１】
以下、本発明に係る吸収性物品として生理用ナプキンを例に挙げて実施形態を説明する。
【００３２】
＜生理用ナプキン１の基本的構成＞
図１は、生理用ナプキン１（以下ナプキン）を厚さ方向の肌側から見た平面図である。図２は、ナプキン１を厚さ方向の非肌側から見た平面図である。図３は、ナプキン１の長手方向中央部の概略断面図である。ナプキン１は、互いに直交する長手方向、短手方向、及び厚さ方向を有する。また、ナプキン１の長手方向において、着用者の下腹部に当接する側を「前側」と呼び、着用者の臀部に当接する側を「後側」と呼ぶ。また、ナプキン１の厚さ方向において、着用者に当接する側を「肌側」と呼び、その反対側を「非肌側」と呼ぶ。
【００３３】
図３に示すように、ナプキン１では、厚さ方向の肌側から順に、一対のサイドシート２と、トップシート３と、セカンドシート４と、吸収体１０と、バックシート５が積層されている。これらの各部材２，３，４，１０，５は厚さ方向に隣接する部材と不図示の接着剤で接合されている。また、ナプキン１は、吸収体１０が設けられたナプキン本体部２０と、ナプキン本体部２０の長手方向中央領域から短手方向の両外側に延出した一対のウィング部３０とを有する。但しナプキン１がウィング部３０を有さなくてもよい。
【００３４】
トップシート３は、液透過性のシートであり、エアスルー不織布等を例示できる。バックシート５は、液不透過性のシートであり、ポリエチレン（ＰＥ）の樹脂フィルム等を例示できる。サイドシート２は、液透過性のシートであっても液不透過性のシートであってもよく、トップシート３と同じエアスルー不織布等を例示できる。トップシート３及びバックシート５は、平面サイズが吸収体１０よりも大きく、吸収体１０の平面全体を覆っている。一対のサイドシート２は、トップシート３の短手方向の両側部から外側に延出しており、バックシート５と共に一対のウィング部３０を形成する。
【００３５】
セカンドシート４は、液透過性のシートであり、トップシート３と同じエアスルー不織布等を例示できる。セカンドシート４は、吸収体１０の肌側面上に設けられ、経血等の排泄物の逆戻り防止、排泄物の拡散向上、及びクッション性の向上等の役割を果たす。但しナプキン１がセカンドシート４を有さなくてもよい。
【００３６】
ナプキン本体部２０の厚さ方向における非肌側面（つまりバックシート５の非肌側面）には、本体部用粘着部２１が設けられている。ナプキン１の使用時に本体部用粘着部２１は下着等の肌側面に貼り付けられ、これによりナプキン１は下着等に固定される。図２に示す本体部用粘着部２１では、長手方向に長辺を有する長方形状の３個の粘着部が長手方向に間隔を空けて並ぶと共に、その３個の粘着部の列が短手方向に間隔を空けて８列並ぶ。
【００３７】
同様に各ウィング部３０の厚さ方向における非肌側面（つまりバックシート５の非肌側面）には、ウィング部用粘着部３１が設けられている。ナプキン１の使用時にウィング部３０は非肌側に折り曲げられ、ウィング部用粘着部３１は下着等の非肌側面に貼り付けられ、これによりナプキン１は下着等に固定される。図２に示すウィング部用粘着部３１は長手方向に長辺を有する長方形状の粘着部である。なお、上記の本体部用粘着部２１及びウィング部用粘着部３１の形状、数、大きさ等は図２に示すものに限らない。
【００３８】
吸収体１０は、排泄物を吸収して内部に保持する部材であり、吸収性コア１２と、吸収性コア１２よりも厚さ方向の肌側に上層シート１１と、吸収性コア１２よりも厚さ方向の非肌側に下層シート１３とを有する。吸収性コア１２は、液体吸収性繊維を有するものであればよく、パルプ繊維等の液体吸収性繊維に高吸収性ポリマー（所謂ＳＡＰ）を含有するものを例示できる。上層シート１１は、液透過性のシートであり、ティッシュペーパー等を例示できる。下層シート１３は、液透過性のシートであっても液不透過性のシートであってもよく、ＳＭＳ（スパンボンド／メルトブローン／スパンボンド）不織布等を例示できる。吸収性コア１２、上層シート１１及び下層シート１３は、平面形状が同じであり、厚さ方向に積層されている。各部材１１〜１３は接着剤によって互いに接合されていても接合されていなくてもよいとする。
【００３９】
吸収体１０には、長手方向及び短手方向の中央領域に、厚さ方向の肌側に突出して折れ曲がるように誘導する折り誘導部１４が長手方向に沿って設けられている。そのため、着用者の脚の挟み込みの力が作用すると、吸収体１０の長手方向中央領域は、短手方向の側部から中央に向かって肌側に凸となる形状に変形する。よって、ナプキン１の長手方向中央領域が着用者の排泄口（膣口）に密着する。なお、折り誘導部１４は、吸収体１０を厚さ方向に圧搾した圧搾部（エンボス）で形成したり、吸収体１０を構成する液体吸収性繊維の目付を小さくすることで形成したり、製造段階において吸収体１０を長手方向に沿って予め折ることで形成したりするとよい。
【００４０】
また、吸収体１０には、後側スリット１５、前側欠損部１６、一対の後側切欠き部１７、一対の前側切欠き部１８、及び、一対の前側スリット４０が設けられている。これらの部位１５〜１８、４０は、吸収性コア１２と上層シート１１と下層シート１３とが存在しない部位であり、周囲の部位に比べて剛性の低い部位である。なお、吸収体１０に、折り誘導部１４、後側スリット１５、前側欠損部１６、一対の後側切欠き部１７、及び、一対の前側切欠き部１８が設けられていなくてもよい。
【００４１】
後側スリット１５は、長手方向において、吸収体１０の後端から、後方領域と中央領域の境界部に向かって切れ込まれたスリットであり、短手方向の中央部に設けられている。そのため、折り誘導部１４による吸収体１０の長手方向中央領域の変形、つまり、短手方向の中央部が肌側に突出する変形が、吸収体１０の後方領域に伝わってしまうことを抑制できる。よって、吸収体１０の後方領域は着用者の臀部に沿った面形状に変形する。
【００４２】
前側欠損部１６は、吸収体１０の長手方向中央領域と前方領域の境界部において、短手方向に長くくり抜かれた部位であり、短手方向において折り誘導部１４と重複する。そのため、吸収体１０の長手方向中央領域の変形が前方領域に伝わってしまうことを抑制できる。よって、吸収体１０の前方領域は着用者の下腹部に沿った面形状に変形する。
【００４３】
一対の後側切欠き部１７は、吸収体１０の短手方向の両側部であり、長手方向中央領域と後方領域の境界部に設けられている。一対の前側切欠き部１８は、吸収体１０の短手方向の両側部であり、長手方向中央領域と前方領域の境界部に設けられている。そのため、ナプキン１の長手方向における前方領域、及び、後方領域は、中央領域に対して立ち上がり易く、着用者の下腹部から臀部にかけて着用者にフィットし易くなる。
【００４４】
また、ナプキン１には、厚さ方向の肌側から非肌側に向かって凹んだ部位であり、隣接する部位に比べて液体吸収性繊維の密度の高い圧搾部６０（凹部）が複数設けられている。圧搾部６０では、トップシート３、セカンドシート４、及び吸収体１０の厚さ方向の全域が、厚さ方向の肌側から圧搾（エンボス加工）され、接合一体化されている。また、圧搾部６０とそれに隣接する部位とで液体吸収性繊維の目付が等しいとし、圧搾部６０では液体吸収性繊維の圧搾によってその密度が高くなったとする。なお、圧搾部６０では、少なくとも吸収体１０の一部が圧搾されて凹んでいればよく、例えば、吸収体１０にのみ圧搾部６０を設けたり、トップシート３から吸収性コア１２の厚さ方向肌側の一部までにしか圧搾部６０を設けなかったり、バックシート５から吸収体１０に圧搾部６０を設けたりしてもよい。
【００４５】
複数の圧搾部６０は、吸収体１１の長手方向中央領域に設けられている。詳しくは、長手方向において後側スリット１５よりも前側であり前側欠損部１６よりも後側に複数の圧搾部６０が設けられている。そして、複数の圧搾部６０は、隣り合う圧搾部６０の間隔が狭い線状パターン６１と、隣り合う圧搾部６０の間隔が広い点状パターン６２とを形成している。線状パターン６１は長手方向に延びた線状のパターンであり、吸収体１０の短手方向の両側部に設けられている。点状パターン６２は、短手方向における一対の線状パターン６１の間に設けられている。点状パターン６２では、長手方向に間隔を空けて並んだ圧搾部６０の列が短手方向に並ぶと共に長手方向にずれて配置されている、つまり千鳥状に圧搾部６０が配置されている。但し上記に限らず、吸収体１０の前方領域や後方領域に圧搾部６０が設けられていてもよい。また圧搾部６０のパターンも図示するものに限らない。
【００４６】
なお、圧搾部６０とそれに隣接する部位との液体吸収性繊維の密度の比較は周知の方法で行えばよい。例えば、測定対象となる部位の断面を電子顕微鏡で拡大し、撮影した拡大画像に基づき、繊維の密度差を目視で比較したり、繊維の本数を数えて比較したりするとよい。その他、測定対象となる部位を吸収体１０から切り出して、各部位の質量を面積で除することで坪量（ｇ／ｃｍ2）を算出し、その坪量を厚さで除することで繊維密度（ｇ／ｃｍ3）を算出して比較してもよい。
【００４７】
＜ナプキン１の外形輪郭１Ａ、及び、吸収体１０＞
図４及び図５は、ナプキン１の外形輪郭１Ａと前側スリット４０の関係を説明する図である。図６Ａ及び図６Ｂは、着用時におけるナプキン１の前方領域の変形を説明する図である。図７Ａから図７Ｃは、前側スリット４０の幅と吸収体１０の厚さの関係を説明する図である。図８は、吸収体１０の前方領域を説明する図である。図９及び図１０は前側スリット４０の変形例を説明する図である。
【００４８】
ナプキン１の長手方向の中央領域は、着用者の股下部に挟み込まれると、断面がＷ字形状に変形し、着用者の股下部にフィットする。具体的には、短手方向の中央部が、折り誘導部１４により肌側に突出して着用者の排泄口（膣口）に密着する。また、短手方向の両側部が、下着の脚繰りのゴムや圧搾部６０の線状パターン６１の影響を受けて肌側に立ち上がり、着用者の鼠蹊部に入り込む。
【００４９】
一方、ナプキン１の前方領域は下腹部に沿った面形状に変形することが好ましい。詳しくは、着用者の恥骨付近の膨らみ（所謂ビキニラインで囲われる逆三角形の部位）を包み込むカップ形状に変形することが好ましい。
【００５０】
そこで、ナプキン１では、吸収体１０の長手方向の前方領域に、内方に切り込まれた一対の前側スリット４０（本発明の第１のスリット及び第２のスリット）が設けられている。一対の前側スリット４０は、ナプキン１を横方向に二分する縦中心線ＣＬ１に対して、短手方向の一方側である部位と他方側である部位とにそれぞれ対称に配置されている。以下、短手方向の一方側のものを第１前側スリット４１とも呼び、他方側のものを第２前側スリット４２とも呼ぶ。
【００５１】
第１前側スリット４１は、他方側縁４１１（点ａ〜ｂ）と、他方側縁４１１よりも短手方向の一方側に位置する一方側縁４１２（点ｃ〜ｄ）とを有する。第２前側スリット４２も、他方側縁４２２（本発明の第２の他方側縁）と、一方側縁４２１（第２の一方側縁）とを有する。
【００５２】
図２に示すように、長手方向において一対の前側スリット４０と重複する吸収体１０の部位１０Ａは、一対の前側スリット４０によって３つの領域１０Ｂ、１０Ｃ、１０Ｄに区画される。以下、一対の前側スリット４０間の吸収体の部位１０Ｃを中央吸収体１０Ｃとも呼び、第１前側スリット４１の一方側縁４１２よりも短手方向の一方側に配置された吸収体の部位１０Ｂ、及び、第２前側スリット４２の他方側縁４２２よりも短手方向の他方側に配置された吸収体の部位１０Ｄを、側方吸収体１０Ｂ，１０Ｄとも呼ぶ。
【００５３】
また、ナプキン１の前方領域の外形輪郭１Ａは、外方に凸となる３つの湾曲線１Ａ１，１Ａ２，１Ａ３を有し、縦中心線ＣＬ１に対して対称な形状となっている。３つの湾曲線のうち短手方向中央の湾曲線１Ａ１は、縦中心線ＣＬ１の方向に凸となる湾曲線である。短手方向両側の湾曲線１Ａ２，１Ａ３は、長手方向の前側に向かって短手方向の外側に傾斜する方向に凸となる湾曲線である。そのため、ナプキン１の外形輪郭部１Ｂのうち長手方向の前端部（点ｅ〜ｆ）には２つの谷部５０が設けられている。具体的には、縦中心線ＣＬ１に対して、短手方向の一方側に第１谷部５１（本発明の谷部）が設けられ、短手方向の他方側に第２谷部５２（本発明の第２の谷部）が設けられている。
【００５４】
そして、前側スリット４０の短手方向の内側の側縁４１１，４２１に沿った接線Ｌ１ａ，Ｌ１ｂ（以下、内側接線とも呼ぶ）よりも短手方向の外側に、谷部５０の最も深い箇所５３（以下、底点とも呼ぶ）が位置している。具体的には、第１前側スリット４１の他方側縁４１１に沿った接線Ｌ１ａ（本発明の接線）よりも短手方向の一方側に、第１谷部５１の底点５１１が位置し、第２前側スリット４２の一方側縁４２１に沿った接線Ｌ１ｂ（本発明の第４の接線）よりも短手方向の他方側に、第２谷部５２の底点５２１が位置している。
【００５５】
なお、前側スリット４０の一方側縁４１２，４２１又は他方側縁４１１，４２２に沿った接線とは、例えば本実施形態の前側スリット４０のように側縁が直線で形成される場合には、その直線に沿った接線とする。また、図９の変形例に示すように、前側スリット４０，４１の側縁４１１，４２１が波線で形成されていてもよい。図９Ａの側縁４１１，４１２は２つの山を有する波線で形成され、図９Ｂの側縁４１１，４１２は３つの山を有する波線で形成され、図９Ｃの側縁４１１，４１２は４つの山を有する波線で形成されている。これらの場合、図示するように側縁４１１が有する山の頂点を繋いだ線Ｌ１ａを、側縁４１１に沿った接線Ｌ１ａとする。
【００５６】
ナプキン１の着用時、着用者は、まず下着を下げて脚を開いた状態で、ナプキン１を下着に貼り付ける。その後、着用者は下着を引き上げて脚を閉じる。脚が閉じられた際に、ナプキン１の前方領域には、短手方向の外側から内側に向かう力（図４のＦ）が作用する。具体的には、ビキニラインに沿う脚の付け根からの力と、ナプキン１の長手方向の中央領域が着用者の股下部に挟み込まれた力が前方領域へ伝達された力である。
【００５７】
仮に吸収体１０に一対の前側スリット４０が設けられていないとすると、脚が閉じられた際に行き場をなくした吸収体１０の部位がよれてしまう。吸収体１０は厚みがあるため、よれた部分に段差ができ、着用時に違和感が生じたり、着用者との間に隙間が生じて排泄物が漏れ易くなったりしてしまう。
【００５８】
これに対して本実施形態のナプキン１では、吸収体１０に一対の前側スリット４０が設けられている。そのため、脚が閉じられた際に、２つの側方吸収体１０Ｂ，１０Ｄがそれぞれ中央吸収体１０Ｃに近付き、一対の前側スリット４０の間隔が狭まるので、吸収体１０のよれを防止できる。換言すると、着用者の脚が閉じられた際に、ビキニラインで囲われる逆三角形の部位が狭まり、吸収体１０に余りが生じるが、その余りとなる分だけ吸収体１０を抜いて前側スリット４０を形成しておくことで、吸収体１０のよれを防止できる。
【００５９】
また、短手方向の外側から内側に向かう力Ｆは外形輪郭部１Ｂにも作用する。但し、外形輪郭部１Ｂはバックシート５等から構成され、吸収体１０のように厚みがないため、外形輪郭部１Ｂにスリットを設ける必要はない。また、脚が閉じられた際に作用する力Ｆは、谷部５０の底点５３に集中する。そのため、脚が閉じられた際に余りとなる外形輪郭部１Ｂの部位は、底点５３を基点に折り重なる。よって、外形輪郭部１Ｂには、底点５３から内方に向かう折り線Ｌｆ（山折り線）が形成される。
【００６０】
仮に、前側スリット４０の内側接線Ｌ１ａ，Ｌ１ｂよりも短手方向の内側に、谷部５０の底点５３が位置したとする。この場合、谷部５０の底点５３から中央吸収体１０Ｃに向かって折り線が形成され易くなる。そうすると、内方に向かって短手方向の外側に傾斜した折り線、つまり、側方吸収体１０Ｂ，１０Ｄが中央吸収体１０Ｃに向かう方向と逆行する方向の折り線が形成されてしまう。そのため、外形輪郭部１Ｂが自然に綺麗に折り畳まれず、吸収体１０に重なってしまったり、側方吸収体１０Ｂ，１０Ｄが中央側吸収体１０Ｃに向かう動きが阻害されて吸収体１０がよれてしまったりするおそれがある。
【００６１】
これに対して本実施形態のナプキン１では、前側スリット４０の内側接線Ｌ１ａ，Ｌ１ｂよりも短手方向の外側に、谷部５０の底点５３が位置する。そのため、例えば、前側スリット４０の延長線上に谷部５０の底点５３が位置する場合、谷部５０の底点５３から前側スリット４０の切込み方向と同じ方向又はそれに近い方向に傾斜し、且つ、前側スリット４０に進入する折り線Ｌｆが、外形輪郭部１Ｂに形成され易くなる。また、第１前側スリット４１の一方側縁４１２や第２前側スリット４２の他方側縁４２２よりも外側に谷部５０の底点５３が位置する場合、谷部５０底点５３から前側スリット４０の切込み方向に近い方向に傾斜し、且つ、側方吸収体１０Ｂ，１０Ｄに接しながら前側スリット４０に進入する折り線Ｌｆが、外形輪郭部１Ｂに形成され易くなる。そのため、側方吸収体１０Ｂ，１０Ｄが中央吸収体１０Ｃに近付く動きに伴って、外形輪郭部１Ｂが自然に綺麗に折り畳まれる。換言すると、外形輪郭部１Ｂが折り畳まれる動きと、側方吸収体１０Ｂ，１０Ｄが中央吸収体１０Ｃに近付く動きとが、互いに補助され、ナプキン１の前方領域が図６に示す形状に変形し易くなる。
【００６２】
図６に示す形状とは、外形輪郭部１Ｂが綺麗に折り畳まれ、前側スリット４０の間隔が狭まり、外形輪郭部１Ｂ及び吸収体１２によれ（くしゃくしゃな折れ）が生じていない形状である。このように、ナプキン１では、着用時に、前側スリット４０の入り口部分において他方側縁４１１，４２２と一方側縁４１２，４２１とが当接し、その当接点ｐ１と谷部５０の底点５３とを繋ぐ折り線Ｌｆが外形輪郭部１Ｂに形成される。そのため、ナプキン１の前方領域を着用者の下腹部にフィットさせることができ、着用時の違和感を軽減できる。また、着用者との間に生じる隙間を抑制でき、排泄物が漏れ難くなる。
【００６３】
また、側方吸収体１０Ｂ，１０Ｄが中央吸収体１０Ｃに近付き、前側スリット４０の間隔が狭まることによって、ナプキン１の前方領域は平坦な形状から、着用者の非肌側に凸となるように湾曲した面形状となる。また、外形輪郭部１Ｂに形成される折り線Ｌｆと中央吸収体１０Ｃとの交点ｐ２を頂点として、その頂点ｐ２よりも長手方向の前側（上方）の部位は着用者側に若干傾斜する。したがって、ナプキン１の前方領域は、着用者の恥骨付近の膨らみ（所謂ビキニラインで囲われる逆三角形の部位）を包み込むカップ形状に変形でき、着用者の下腹部にフィットする。
【００６４】
更に、図４及び図７Ａに示すように、第１前側スリット４１の一方側縁４１２と他方側縁４１１は、これらに沿う吸収体１０の部位１０Ｂ，１０Ｃの厚さ（Ｌ２）よりも幅（Ｌ１）が広い幅広部４１５を有する。そのため、図７Ｂ及び図７Ｃに示すように、第１前側スリット４１の一方側縁４１２と他方側縁４１１とが厚さ方向に重なることができる。
【００６５】
また、第１前側スリット４１の切込み方向、つまり、第１前側スリット４１の幅方向の中央線ＣＬ２に沿う方向における幅広部４１５の長さ（Ｌ３）が、一方側縁４１２と他方側縁４１１に沿う吸収体１０の部位１０Ｂ，１０Ｃの厚さ（Ｌ２）よりも長くなっている。
【００６６】
つまり、第１前側スリット４１は、その幅方向に長さを持った領域であり、その切込み方向に長さを持った領域であり、着用者の脚が閉じられた際に吸収体１０の逃げ場となり得るスリットの長さがしっかりと確保されている。そのため、より確実に吸収体１０のよれを防止できる。
【００６７】
なお、この実施形態では、一方側縁４１２と他方側縁４１１の全域に亘って幅広部４１５が形成されているが、一方側縁４１２と他方側縁４１１とが幅の狭い部位を有していてもよい。また、第１前側スリット４１と同様に、第２前側スリット４２も幅方向及び切込み方向に長さを持った領域であることが好ましいが、これに限らない。
【００６８】
また、前側スリット４０の幅及び長さと吸収体１０の厚さの比較は、周知の方法で行えばよい。例えば、測定対象となる部位を電子顕微鏡で拡大し、撮影した拡大画像に基づき、前側スリット４０の幅や長さ、吸収体１０の厚さを測定してもよい。また、吸収体１０の厚さを、例えば尾崎製作所製ＰＥＡＣＯＣＫデジタルシックネスゲージＪＡ−２５７を使用して測定してもよい。また、吸収体１０の厚さは自然状態で測定しても加圧状態で測定してもよい。
【００６９】
また、前側スリット４０において吸収体１０を構成する全部材（即ち上層シート１１と吸収性コア１２と下層シート１３）が切り欠かれるに限らず、例えば吸収性コア１２だけ切り欠かれる形態であってもよい。但し、吸収体１０を構成する全部材が切り欠かれていることで、前側スリット４０が位置するナプキン１の部位の剛性が低下し、前側スリット４０の側縁同士が近付く等の変形が行われ易くなる。また、吸収体１０が複数の層で構成される場合、少なくとも一層に前側スリット４０が形成されていればよい。
【００７０】
また、前側スリット４０の数は２つに限らず、１つでも３つ以上でもよい。但し、縦中心線ＣＬ１に対して、前側スリット４０が対称に配置されることが好ましい。そうすることで、ナプキン１の前方領域において外形輪郭部１Ｂ及び吸収体１０のよれを短手方向に均等に抑制できる。また、ナプキン１の前方領域が短手方向に均等に湾曲するため、着用者の下腹部によりフィットするカップ形状に変形する。
【００７１】
また、仮に、側方吸収体１０Ｂ，１０Ｄの長手方向の端１０Ｂ１，１０Ｄ１を通る、短手方向に沿った接線Ｌ２ａ，Ｌ２ｂ（本発明の第２の接線、以下、外側接線とも呼ぶ）よりも長手方向の中央側（下方）に、谷部５０の底点５３が位置したとする。この場合、谷部５０の底点５３から側方吸収体１０Ｂ，１０Ｄの側辺に向かう折り線Ｌｆが形成され易く、折り線Ｌｆが前側スリット４０に進入できない。そのため、外形輪郭部１Ｂが綺麗に折り畳まれずによれてしまったり、吸収体１０に重なったりするおそれがある。
【００７２】
そのため、内側接線Ｌ１ａ，Ｌ１ｂと外側接線Ｌ２ａ，Ｌ２ｂとの間に（接線上は含まない間に）、谷部５０の底点５３が位置することが好ましい。具体的には、第１前側スリット４１の一方側縁４１２に沿う吸収体の部位１０Ｂに対する短手方向に沿った外側接線Ｌ２ａと、内側接線Ｌ１ａとの間に、第１谷部５１の底点５１１が位置し、第２前側スリット４２の他方側縁４２２に沿う吸収体の部位１０Ｄに対する短手方向に沿った外側接線Ｌ２ｂと、内側接線Ｌ１ｂとの間に、第２谷部５２の底点５２１が位置することが好ましい。
【００７３】
そうすることで、外形輪郭部１Ｂが綺麗に折り畳まれ、前側スリット４０の間隔が狭まり、外形輪郭部１Ｂ及び吸収体１２のよれを防止できる。また、ナプキン１の前方領域は着用者の恥骨付近の膨らみを包み込むカップ形状に変形できる。よって、ナプキン１の前方領域は着用者の下腹部にフィットする。
【００７４】
ここで、図５に示すように、吸収体１０の長手方向の前端１０ａから個別包装用の短手方向に沿った三つ折り線Ｔ１，Ｔ２（図２参照）のうち前側の折り線Ｔ１までの領域を、長手方向に４等分する短手方向に沿った仮想線Ｐ１〜Ｐ３を３本設定する。長手方向の前側から順に、１番目の仮想線Ｐ１、２番目の仮想線Ｐ２、３番目の仮想線Ｐ３と呼ぶ。
【００７５】
本実施形態の前側スリット４０は２番目の仮想線Ｐ２を少し超えた深さまで切り込まれている。この場合、谷部５０の底点５３を通り、且つ、前側スリット４０の短手方向の外側の側縁に沿う吸収体１０の部位に対する接線Ｌ３ａ（本発明の第３の接線）と、前側スリット４０の短手方向の内側の側縁（即ち中央吸収体１０Ｃ）との交点が、１番目の仮想線Ｐ１上と２番目の仮想線Ｐ２上との間（仮想線Ｐ１，Ｐ２上も含む間）に位置することが好ましい。
【００７６】
例えば、第１前側スリット４１の場合、第１谷部５１の底点５１１を通り且つ一方側縁４１２に沿う側方吸収体１０Ｂに対する接線Ｌ３ａと、他方側縁４１１との交点ｐ３が、１番目の仮想線Ｐ１上と２番目の仮想線Ｐ２上との間に位置することが好ましい。
換言すると、２番目の仮想線Ｐ２と他方側縁４１１との交点ｐ３から側方吸収体１０Ｂに向かって引いた接線Ｌ３ａ上と、１番目の仮想線Ｐ１と他方側縁４１１との交点ｐ３’から側方吸収体１０Ｂに向かって引いた接線Ｌ３ａ’上との間に、第１谷部５１の底点５１１が位置することが好ましい。
【００７７】
この接線Ｌ３ａに沿って外形輪郭部１Ｂの折り線Ｌｆ（山折り線）が形成され易い。そのため、上記のように谷部５０の底点５３が位置することで、外形輪郭部１Ｂの折り線Ｌｆは、前側スリット４０の切込み方向に近い方向に傾斜し、且つ、前側スリット４０に進入する。そうすると、外形輪郭部１Ｂがより自然に綺麗に折り畳まれ、前側スリット４０の間隔が狭まり易くなる。よって、ナプキン１の前方領域は、カップ形状に変形し易く、下腹部にフィットし易くなる。
【００７８】
また、例えば第１スリット４１の場合、外形輪郭部１Ｂの折り線Ｌｆとなる接線Ｌ３ａと他方側縁４１１に沿った接線Ｌ１ａとの間の部位が折り畳まれる。そのため、より好ましくは、図５に示すように、接線Ｌ３ａと他方側縁４１１との交点ｐ３が、より長手方向の中央側である２番目の仮想線Ｐ２上に位置することが好ましい。そうすることで、側方吸収体１０Ｂ，１０Ｄが中央吸収体１０Ｃにより近付き、ナプキン１の前方領域は平坦な形状からより湾曲した形状に変形し易くなる。したがって、ナプキン１の前方領域は、着用者の恥骨付近の膨らみをより隙間なく包み込むカップ形状に変形でき、下腹部によりフィットする。
【００７９】
また、前側スリット４０がより深く切り込まれていてもよく、図１０の変形例に示すように、前側スリット４０が３番目の仮想線Ｐ３を少し超えた深さまで切り込まれていてもよい。この場合、例えば第１前側スリット４１では、第１谷部５１の底点５１１を通り且つ一方側縁４１２に沿う側方吸収体１０Ｂに対する接線Ｌ３ａと、他方側縁４１１との交点ｐ３が、１番目の仮想線Ｐ１上と３番目の仮想線Ｐ３上との間に位置することが好ましく、より好ましくは３番目の仮想線Ｐ３上に位置することがより好ましい。
【００８０】
換言すると、３番目の仮想線Ｐ３と他方側縁４１１との交点ｐ３から側方吸収体１０Ｂに向かって引いた接線Ｌ３ａ上と、１番目の仮想線Ｐ１と他方側縁４１１との交点ｐ３’から側方吸収体１０Ｂに向かって引いた接線Ｌ３ａ’上との間に、第１谷部５１の底点５１１が位置することが好ましい。そうすることで上記と同様の効果が得られる。
【００８１】
また、第１前側スリット４１及び第２前側スリット４２は、長手方向の中央側から前側に向かって短手方向の外側に傾斜している。そのため、第１前側スリット４１と第２前側スリット４２の間の吸収体１０の部位１０Ｃが逆三角形となる。よって、吸収体１０及びナプキン１の前方領域は、より一層着用者の恥骨付近の膨らみを包み込むカップ形状に変形し、着用者の下腹部にフィットする。但し上記に限らず、前側スリット４０が傾斜せず、例えばナプキン１の長手方向に沿っていてもよい。
【００８２】
また、ナプキン１の前方領域における外形輪郭１Ａのうち短手方向の両側縁は、長手方向の中央側から前側に向かって短手方向の外側に傾斜している。つまり、ナプキン１の前方領域では、外形輪郭部１Ｂが長手方向の中央側から前側に向かって短手方向の外側に膨らんでいる。その膨らんだ部位で着用者の恥骨付近の膨らみを包み込むことができ、ナプキン１の前方領域はより着用者の下腹部にフィットする。但し上記に限らず、外形輪郭１Ａの両側縁が傾斜せず、例えばナプキン１の長手方向に沿っていてもよい。
【００８３】
また、図８に示すように、吸収体１０の長手方向の前方領域と中央領域の境界部であり、短手方向の両側部に、一対の前側切欠き部１８（低剛性部）が設けられるとともに、各前側切欠き部１８の長手方向の両側に前側切欠き部１８よりも剛性の高い第１の高剛性部１８１が設けられている。そのため、吸収体１０及びナプキン１の前方領域は、中央領域に対して立ち上がり易く、カップ形状に変形し易い。
【００８４】
また、短手方向における一対の前側切欠き部１８間に、前側切欠き部１８よりも剛性の高い第２の高剛性部１８２が設けられている。そのため、吸収体１０の長手方向中央領域に作用した脚の挟み込み力が、第２の高剛性部１８２により吸収体１０の前方領域に伝達される。よって、吸収体１０及びナプキン１の前方領域は、短手方向の両側部が着用者側に折れてカップ形状に変形し易く、着用者の下腹部にフィットする。
【００８５】
また、仮に、第２の高剛性部１８２が存在せず、短手方向の全域に亘って吸収性コア１２等が存在しないとすると、例えばナプキン１の装着途中に、着用者に把持されたナプキン１の長手方向中央領域に対して前方領域が折れ、前方領域が下着の不適当な部位にくっ付いたり、粘着部２１，３１同士がくっついたりしてしまう。そのため、吸収体１０に第２の高剛性部１８２を設けることで、ナプキン１は扱い易く、装着し易くなる。
【００８６】
また、吸収体１０の長手方向中央領域では短手方向の両側部が立ち上がるが、その側部の立ち上がりを前側切欠き部１８にて断つことができ、吸収体１０及びナプキン１の前方領域を下腹部に沿った面形状に変形できる。但し、吸収体１０及びナプキン１の前方領域はカップ形状に変形することが好ましく、短手方向の両側部が、長手方向中央領域に比べると寝ているが、後方領域に比べると立ち上がっていることが好ましい。
【００８７】
そこで、図２に示すように、短手方向における一対の前側切欠き部１８間の長さＬ４を、一対の後側切欠き部１７間の長さＬ５に比べて長くするとよい。つまり、前側切欠き部１８を後側切欠き部１７に比べて浅くするとよい。そうすることで、吸収体１０の長手方向中央領域における短手方向の両側部の立ち上がり力を、吸収体１０の前方領域へ適度に伝達でき、吸収体１０及びナプキン１の前方領域において短手方向の両側部を適度に立たせることができる。
【００８８】
更に、短手方向において、前側切欠き部１８の内側の端１８ｃの位置が、本体部用粘着部２１の外側の端２１ａの位置よりも外側に位置するとよい。そうすると、前側切欠き部１８が設けられた短手方向の位置ではナプキン１が下着に固定されないため、吸収体１０及びナプキン１の前方領域において短手方向の両側部を適度に立たせることができる。
【００８９】
また、前側切欠き部１８の平面形状は、短手方向の内側に凸となる山型形状である。つまり、短手方向の内側に向かうに従って、前側切欠き部１８の長手方向の長さが短くなっている。そのため、吸収体１０及びナプキン１の前方領域は、立ち上がった際に厚さ方向の非肌側に凸となるように湾曲し易い、つまり、カップ形状に変形し易く、着用者の下腹部にフィットする。
【００９０】
また、吸収体１０の長手方向の前方領域と中央領域の境界部であり、短手方向の中央部に、前側欠損部１６（第２の低剛性部）が設けられている。そのため、吸収体１０及びナプキン１の前方領域は中央領域に対して立ち上がり易い。更に、前側欠損部１６の形状が、短手方向に長く、長手方向の前側に凸となる湾曲した形状である。そのため、吸収体１０及びナプキン１の前方領域は、立ち上がった際に厚さ方向の非肌側に凸となるように湾曲し易い、つまり、カップ形状に変形し易く、着用者の下腹部にフィットする。但し、前側欠損部１６の形状は上記に限らない。
【００９１】
また、図５に示すように、前側欠損部１６の短手方向の両側に前側欠損部１６よりも剛性の高い第３の高剛性部１８２が設けられている。この実施形態では第３の高剛性部１８２と第２の高剛性部１８２とが等しい。前述のように、第３の高剛性部１８２によって、吸収体１０の長手方向中央領域に作用した脚の挟み込み力が適度に前方領域に伝達されたり、ナプキン１が扱い易くなったりする。
【００９２】
なお、前側欠損部１６や前側切欠き部１８において吸収体１０を構成する全部材が切り欠かれるに限らず、例えば吸収性コア１２の全部又は一部だけ切り欠かれる形態であってもよい。また、前側欠損部１６や前側切欠き部１８の全域の剛性を低くするに限らず、部分的に剛性を低くしてもよい。また、前側欠損部１６や前側切欠き部１８の厚さ方向の一部に切り込みを入れることで剛性を低くしてもよい。
【００９３】
また、剛性の比較は周知の方法で行えばよい。例えば、吸収体１０の各部の剛性値として、ガーレー剛軟度によって測定された値をサンプル片の長さで割った値を例示できる。ガーレー剛軟度の測定は、（株）安田精機製作所製のＮｏ３１１のガーレー式柔軟度試験機を用いて、ＪＩＳ−Ｌ１０９６に準拠して測定できる。その他、吸収体１０の各部を構成する部材や目付の違いを目視で比較したり、吸収体１０の各部を切り出して質量を測定し、その質量を面積で除した値（ｇ／ｃｍ2）で比較したりしてもよい。
【００９４】
また、図２に示すように、前側欠損部１６と、一対の前側切欠き部１８と、個別包装の三つ折り線Ｔ１とが、長手方向において重なっている。そのため、長手方向において、吸収体１０及びナプキン１の前方領域の立ち上がり起点が揃えられ、前方領域が立ち上がり易くなる。
【００９５】
また、ナプキン１には圧搾部６０が設けられているが、厚さ方向の平面視で、圧搾部６０と一対の前側スリット４０とが重なっていない。そのため、吸収体１０よりも上層のトップシート３及びセカンドシート４や下層のバックシート５が伸び縮みし易い。よって、前側スリット４０の側縁同士が近付く等の変形が行われ易い。但し上記に限らず、前側スリット４０が設けられた位置に圧搾部６０が設けられていてもよい。
【００９６】
また、厚さ方向の平面視で、第１前側スリット４１の一方側縁４１２に沿う側方吸収体１０Ｂと本体部用粘着部２１とが重なり、第１前側スリット４１の他方側縁４１１及び第２前側スリット４２の一方側縁４２１に沿う中央吸収体１０Ｃと本体部用粘着部２１とが重なり、第２前側スリット４２の他方側縁４２２に沿う側方吸収体１０Ｄと本体部用粘着部２１とが重なっている。
【００９７】
つまり、一対の前側スリット４０で区画された吸収体１０の３つの領域１０Ｂ〜１０Ｄの全てが、バックシート５を介して下着に固定される。そのため、ある領域だけが下着から離間して自由に変形してしまうことを抑制でき、３つの領域１０Ｂ〜１０Ｄが横並びしている状態が維持される。よって、吸収体１０及びナプキン１の前方領域は、下腹部に沿った面形状に変形し、下腹部にフィットする。但し上記に限らず、吸収体１０の３つの領域１０Ｃ〜１０Ｄと本体部用粘着部２１とが重なっていなくてもよい。
【００９８】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００９９】
上記の実施形態では、本発明の吸収性物品を生理用ナプキンとしているがこれに限らず、本発明の吸収性物品を例えばパンティーライナー、尿取りパッド、使い捨ておむつ等に利用してもよい。
【符号の説明】
【０１００】
１  ナプキン（吸収性物品）、１Ａ  外形輪郭、１Ｂ  外形輪郭部、２  サイドシート、３  トップシート、４  セカンドシート、５  バックシート、１０  吸収体、１０Ｂ  側方吸収体、１０Ｃ  中央吸収体、１０Ｄ  側方吸収体、１１  上層シート、１２  吸収性コア、１３  下層シート、１４  折り誘導部、１５  後側スリット、１６  前側欠損部（第２の低剛性部）、１７  後側切欠き部、１８  前側切欠き部（低剛性部）、１８１  第１の高剛性部、１８２  第２の高剛性部、第３の高剛性部、２０  ナプキン本体部、２１  本体部用粘着部（粘着部）、３０  ウィング部、３１  ウィング部用粘着部、４０  前側スリット、４１  第１前側スリット（スリット）、４１１  他方側縁、４１２  一方側縁、４１５  幅広部、４２  第２前側スリット（第２のスリット）、４２１  他方側縁（第２の他方側縁）、４２２  一方側縁（第２の一方側縁）、ＣＬ１  縦中心線、ＣＬ２  第１前側スリットの幅方向の中央線、Ｌ１ａ  内側接線（接線）、Ｌ１ｂ  内側接線（第４の接線）、Ｌ２ａ  外側接線（第２の接線）、Ｌ２ｂ  外側接線、Ｌ３ａ  接線（第３の接線）、Ｐ１  １番目の仮想線、Ｐ２  ２番目の仮想線、Ｐ３  ３番目の仮想線、５０  谷部、５１  第１谷部（谷部）、５１１  底点（最も深い箇所）、５２  第２谷部（第２の谷部）、５２１  底点（最も深い箇所）、５３  底点、６０  圧搾部（凹部）、６１  線状パターン、６２  点状パターン、Ｔ１  三つ折り線（折り線）、Ｔ２  三つ折り線、Ｌｆ  折り線
【図１】
2018000466.tif 000003
【図２】
2018000466.tif 000004
【図３】
2018000466.tif 000005
【図４】
2018000466.tif 000006
【図５】
2018000466.tif 000007
【図６】
2018000466.tif 000008
【図７】
2018000466.tif 000009
【図８】
2018000466.tif 000010
【図９】
2018000466.tif 000011
【図１０】
2018000466.tif 000012